【手続補正書】
【提出日】平成17年4月5日(2005.4.5)
【手続補正１】
【補正対象書類名】明細書
【補正対象項目名】特許請求の範囲
【補正方法】変更
【補正の内容】
【特許請求の範囲】
【請求項１】
複数の識別情報を可変表示可能な可変表示装置と、前記可変表示装置の表示制御を行う表示制御手段とを備え、所定条件の成立に基づき前記可変表示装置で識別情報を可変表示した後に可変表示を停止して複数の識別情報を停止表示する表示遊技を実行し、該表示遊技の表示結果の表示態様が予め定めた識別情報の組み合わせである特別停止結果態様になった場合に、所定の遊技価値を遊技者に付与可能な特別遊技状態を発生する遊技機において、
遊技媒体を検出して始動する始動手段と、乱数発生手段と、前記始動手段が遊技媒体を検出したときに前記乱数発生手段から乱数値を取得する乱数取得手段と、前記乱数取得手段の取得した乱数値が当たり乱数か否かを判定する乱数判定手段と、前記乱数判定手段の判定基準を変更する判定基準変更手段と、リーチ継続乱数発生手段と、前記始動手段が遊技媒体を検出したときに前記リーチ継続乱数発生手段から乱数値を取得するリーチ継続乱数取得手段と、前記リーチ継続乱数取得手段の取得した乱数値がリーチ継続乱数か否かを判定するリーチ継続乱数判定手段とを有し、
前記判定基準変更手段は、前記判定基準を、少なくとも低確率基準と前記乱数判定手段が前記乱数取得手段の取得した乱数値を前記当たり乱数と判定する確率が前記低確率基準より高い高確率基準とに切り替え、
前記表示制御手段は、前記乱数判定手段の判定結果が前記当たり乱数のときは表示結果が前記特別停止結果態様になるように表示遊技を実行し、前記乱数判定手段の判定結果が前記当たり乱数でないときは表示結果が前記特別停止結果態様以外の表示態様になるように表示遊技を実行し、また前記乱数判定手段に前記高確率基準が設定されかつ前記リーチ継続乱数判定手段の判定結果が前記リーチ継続乱数のときは前記表示遊技をリーチ態様から開始し、
前記表示遊技が前記リーチ態様から開始される場合に、該表示遊技の表示結果が前記特別停止結果態様に確定した際に付与され得る前記遊技価値を、通常の初期設定遊技価値よりも高める遊技価値変更手段をさらに有することを特徴とする遊技機。
【請求項２】
複数の識別情報を可変表示可能な可変表示装置と、前記可変表示装置の表示制御を行う表示制御手段とを備え、所定条件の成立に基づき前記可変表示装置で識別情報を可変表示した後に可変表示を停止して複数の識別情報を停止表示する表示遊技を実行し、該表示遊技の表示結果の表示態様が予め定めた識別情報の組み合わせである特別停止結果態様になった場合に、所定の遊技価値を遊技者に付与可能な特別遊技状態を発生する遊技機において、
遊技媒体を検出して始動する始動手段と、乱数発生手段と、前記始動手段が遊技媒体を検出したときに前記乱数発生手段から乱数値を取得する乱数取得手段と、前記乱数取得手段の取得した乱数値が当たり乱数か否かを判定する乱数判定手段と、前記乱数判定手段の判定基準を変更する判定基準変更手段と、リーチ継続乱数発生手段と、前記始動手段が遊技媒体を検出したときに前記リーチ継続乱数発生手段から乱数値を取得するリーチ継続乱数取得手段と、前記リーチ継続乱数取得手段の取得した乱数値がリーチ継続乱数か否かを判定するリーチ継続乱数判定手段とを有し、
前記判定基準変更手段は、前記判定基準を、少なくとも低確率基準と前記乱数判定手段が前記乱数取得手段の取得した乱数値を前記当たり乱数と判定する確率が前記低確率基準より高い高確率基準とに切り替え、
前記表示制御手段は、前記乱数判定手段の判定結果が前記当たり乱数のときは表示結果が前記特別停止結果態様になるように表示遊技を実行し、前記乱数判定手段の判定結果が前記当たり乱数でないときは表示結果が前記特別停止結果態様以外の表示態様になるように表示遊技を実行し、また前記乱数判定手段に前記高確率基準が設定されかつ前記リーチ継続乱数判定手段の判定結果が前記リーチ継続乱数のときは前記表示遊技をリーチ態様から開始し、
前記表示遊技が前記リーチ態様から開始される場合が複数回継続する場合に、各表示遊技ごとに表示結果が前記特別停止結果態様に確定した際に付与され得る前記遊技価値を順次高める遊技価値変更手段をさらに有することを特徴とする遊技機。
【請求項３】
複数の識別情報を可変表示可能な可変表示装置と、前記可変表示装置の表示制御を行う表示制御手段とを備え、所定条件の成立に基づき前記可変表示装置で識別情報を可変表示した後に可変表示を停止して複数の識別情報を停止表示する表示遊技を実行し、該表示遊技の表示結果の表示態様が予め定めた識別情報の組み合わせである特別停止結果態様になった場合に、所定の遊技価値を遊技者に付与可能な特別遊技状態を発生する遊技機において、
遊技媒体を検出して始動する始動手段と、乱数発生手段と、前記始動手段が遊技媒体を検出したときに前記乱数発生手段から乱数値を取得する乱数取得手段と、前記乱数取得手段の取得した乱数値が当たり乱数か否かを判定する乱数判定手段と、前記乱数判定手段の判定基準を変更する判定基準変更手段と、リーチ継続乱数発生手段と、前記始動手段が遊技媒体を検出したときに前記リーチ継続乱数発生手段から乱数値を取得するリーチ継続乱数取得手段と、前記リーチ継続乱数取得手段の取得した乱数値がリーチ継続乱数か否かを判定するリーチ継続乱数判定手段とを有し、
前記判定基準変更手段は、前記判定基準を、少なくとも低確率基準と前記乱数判定手段が前記乱数取得手段の取得した乱数値を前記当たり乱数と判定する確率が前記低確率基準より高い高確率基準とに切り替え、
前記表示制御手段は、前記乱数判定手段の判定結果が前記当たり乱数のときは表示結果が前記特別停止結果態様になるように表示遊技を実行し、前記乱数判定手段の判定結果が前記当たり乱数でないときは表示結果が前記特別停止結果態様以外の表示態様になるように表示遊技を実行し、また前記乱数判定手段に前記高確率基準が設定されかつ前記リーチ継続乱数判定手段の判定結果が前記リーチ継続乱数のときは前記表示遊技をリーチ態様から開始し、
前記表示遊技が前記リーチ態様から開始される場合が複数回継続する場合に、各表示遊技の表示結果が前記特別停止結果態様に確定しないことを条件に、各表示遊技の実行回数を順次計数する継続回数計数手段と、
前記継続回数計数手段によって前記各表示遊技の実行回数が順次計数される度に、各表示遊技ごとに表示結果が前記特別停止結果態様に確定した際に付与され得る前記遊技価値を順次高める遊技価値変更手段とをさらに有することを特徴とする遊技機。
【請求項４】
複数の識別情報を可変表示可能な可変表示装置と、前記可変表示装置の表示制御を行う表示制御手段とを備え、所定条件の成立に基づき前記可変表示装置で識別情報を可変表示した後に可変表示を停止して複数の識別情報を停止表示する表示遊技を実行し、該表示遊技の表示結果の表示態様が予め定めた識別情報の組み合わせである特別停止結果態様になった場合に、所定の遊技価値を遊技者に付与可能な特別遊技状態を発生する遊技機において、
遊技媒体を検出して始動する始動手段と、乱数発生手段と、前記始動手段が遊技媒体を検出したときに前記乱数発生手段から乱数値を取得する乱数取得手段と、前記乱数取得手段の取得した乱数値が当たり乱数か否かを判定する乱数判定手段と、前記乱数判定手段の判定基準を変更する判定基準変更手段と、リーチ継続乱数発生手段と、前記表示遊技が開始される際に前記リーチ継続乱数発生手段から乱数値を取得するリーチ継続乱数取得手段と、前記リーチ継続乱数取得手段の取得した乱数値がリーチ継続乱数か否かを判定するリーチ継続乱数判定手段とを有し、
前記判定基準変更手段は、前記判定基準を、少なくとも低確率基準と前記乱数判定手段が前記乱数取得手段の取得した乱数値を前記当たり乱数と判定する確率が前記低確率基準より高い高確率基準とに切り替え、
前記表示制御手段は、前記乱数判定手段の判定結果が前記当たり乱数のときは表示結果が前記特別停止結果態様になるように表示遊技を実行し、前記乱数判定手段の判定結果が前記当たり乱数でないときは表示結果が前記特別停止結果態様以外の表示態様になるように表示遊技を実行し、また前記乱数判定手段に前記高確率基準が設定されかつ前記リーチ継続乱数判定手段の判定結果が前記リーチ継続乱数のときは前記表示遊技をリーチ態様から開始し、
前記表示遊技が前記リーチ態様から開始される場合に、該表示遊技の表示結果が前記特別停止結果態様に確定した際に付与され得る前記遊技価値を、通常の初期設定遊技価値よりも高める遊技価値変更手段をさらに有することを特徴とする遊技機。
【請求項５】
複数の識別情報を可変表示可能な可変表示装置と、前記可変表示装置の表示制御を行う表示制御手段とを備え、所定条件の成立に基づき前記可変表示装置で識別情報を可変表示した後に可変表示を停止して複数の識別情報を停止表示する表示遊技を実行し、該表示遊技の表示結果の表示態様が予め定めた識別情報の組み合わせである特別停止結果態様になった場合に、所定の遊技価値を遊技者に付与可能な特別遊技状態を発生する遊技機において、
遊技媒体を検出して始動する始動手段と、乱数発生手段と、前記始動手段が遊技媒体を検出したときに前記乱数発生手段から乱数値を取得する乱数取得手段と、前記乱数取得手段の取得した乱数値が当たり乱数か否かを判定する乱数判定手段と、前記乱数判定手段の判定基準を変更する判定基準変更手段と、リーチ継続乱数発生手段と、前記表示遊技が開始される際に前記リーチ継続乱数発生手段から乱数値を取得するリーチ継続乱数取得手段と、前記リーチ継続乱数取得手段の取得した乱数値がリーチ継続乱数か否かを判定するリーチ継続乱数判定手段とを有し、
前記判定基準変更手段は、前記判定基準を、少なくとも低確率基準と前記乱数判定手段が前記乱数取得手段の取得した乱数値を前記当たり乱数と判定する確率が前記低確率基準より高い高確率基準とに切り替え、
前記表示制御手段は、前記乱数判定手段の判定結果が前記当たり乱数のときは表示結果が前記特別停止結果態様になるように表示遊技を実行し、前記乱数判定手段の判定結果が前記当たり乱数でないときは表示結果が前記特別停止結果態様以外の表示態様になるように表示遊技を実行し、また前記乱数判定手段に前記高確率基準が設定されかつ前記リーチ継続乱数判定手段の判定結果が前記リーチ継続乱数のときは前記表示遊技をリーチ態様から開始し、
前記表示遊技が前記リーチ態様から開始される場合が複数回継続する場合に、各表示遊技ごとに表示結果が前記特別停止結果態様に確定した際に付与され得る前記遊技価値を順次高める遊技価値変更手段をさらに有することを特徴とする遊技機。
【請求項６】
複数の識別情報を可変表示可能な可変表示装置と、前記可変表示装置の表示制御を行う表示制御手段とを備え、所定条件の成立に基づき前記可変表示装置で識別情報を可変表示した後に可変表示を停止して複数の識別情報を停止表示する表示遊技を実行し、該表示遊技の表示結果の表示態様が予め定めた識別情報の組み合わせである特別停止結果態様になった場合に、所定の遊技価値を遊技者に付与可能な特別遊技状態を発生する遊技機において、
遊技媒体を検出して始動する始動手段と、乱数発生手段と、前記始動手段が遊技媒体を検出したときに前記乱数発生手段から乱数値を取得する乱数取得手段と、前記乱数取得手段の取得した乱数値が当たり乱数か否かを判定する乱数判定手段と、前記乱数判定手段の判定基準を変更する判定基準変更手段と、リーチ継続乱数発生手段と、前記表示遊技が開始される際に前記リーチ継続乱数発生手段から乱数値を取得するリーチ継続乱数取得手段と、前記リーチ継続乱数取得手段の取得した乱数値がリーチ継続乱数か否かを判定するリーチ継続乱数判定手段とを有し、
前記判定基準変更手段は、前記判定基準を、少なくとも低確率基準と前記乱数判定手段が前記乱数取得手段の取得した乱数値を前記当たり乱数と判定する確率が前記低確率基準より高い高確率基準とに切り替え、
前記表示制御手段は、前記乱数判定手段の判定結果が前記当たり乱数のときは表示結果が前記特別停止結果態様になるように表示遊技を実行し、前記乱数判定手段の判定結果が前記当たり乱数でないときは表示結果が前記特別停止結果態様以外の表示態様になるように表示遊技を実行し、また前記乱数判定手段に前記高確率基準が設定されかつ前記リーチ継続乱数判定手段の判定結果が前記リーチ継続乱数のときは前記表示遊技をリーチ態様から開始し、
前記表示遊技が前記リーチ態様から開始される場合が複数回継続する場合に、各表示遊技の表示結果が前記特別停止結果態様に確定しないことを条件に、各表示遊技の実行回数を順次計数する継続回数計数手段と、
前記継続回数計数手段によって前記各表示遊技の実行回数が順次計数される度に、各表示遊技ごとに表示結果が前記特別停止結果態様に確定した際に付与され得る前記遊技価値を順次高める遊技価値変更手段とをさらに有することを特徴とする遊技機。
【請求項７】
前記遊技価値変更手段は、前記表示遊技の表示結果が前記特別停止結果態様に確定した場合に、次回の表示遊技で表示結果が前記特別停止結果態様に確定した際に付与され得る前記遊技価値を、通常の初期設定遊技価値に戻すことを特徴とする請求項２，３，５または６記載の遊技機。
【請求項８】
前記表示遊技において、前記リーチ態様から開始される場合が複数回継続し得る継続回数最大値が予め定められており、該継続回数最大値に到達した場合に、前記遊技価値変更手段は、次回の表示遊技で表示結果が前記特別停止結果態様に確定した際に付与され得る前記遊技価値を、通常の初期設定遊技価値に戻すことを特徴とする請求項２，３，５，６または７記載の遊技機。
【請求項９】
前記判定基準変更手段は、前回の表示遊技の表示結果に基づいて前記判定基準を変更することを特徴とする請求項１，２，３，４，５，６，７または８記載の遊技機。
【手続補正２】
【補正対象書類名】明細書
【補正対象項目名】０００２
【補正方法】変更
【補正の内容】
【０００２】
【従来の技術】
従来、この種の遊技機として一般的に知られているものに、フィーバー機と称されるパチンコ機がある。フィーバー機では、遊技盤に形成された遊技領域へ打ち出した遊技媒体が始動口へ入賞すると、液晶画面等から成る可変表示装置に各種図柄等の識別情報がスクロール等して可変表示し、所定時間の経過後に可変表示が停止する表示遊技が実行される。
【手続補正３】
【補正対象書類名】明細書
【補正対象項目名】０００６
【補正方法】変更
【補正の内容】
【０００６】
本発明は、以上のような従来技術が有する問題点に着目してなされたもので、表示遊技を初期態様から開始するだけでなくリーチ態様から開始する場合を設けることによってリーチ態様までの時間が短縮されると共に、リーチ態様から開始される場合に対応して、特別遊技状態による遊技価値の大きさを変動させることにより、表示遊技の開始当初から遊技者の期待と興奮の間隔が短くなることによって、更に遊技全体における興趣を高めることができる遊技機を提供することを目的としている。
【手続補正４】
【補正対象書類名】明細書
【補正対象項目名】０００７
【補正方法】変更
【補正の内容】
【０００７】
【課題を解決するための手段】
前述した目的を達成するための本発明の要旨とするところは、次の各項の発明に存する。
［１］複数の識別情報を可変表示可能な可変表示装置（３１０）と、前記可変表示装置（３１０）の表示制御を行う表示制御手段（１００、３００）とを備え、所定条件の成立に基づき前記可変表示装置（３１０）で識別情報を可変表示した後に可変表示を停止して複数の識別情報を停止表示する表示遊技を実行し、該表示遊技の表示結果の表示態様が予め定めた識別情報の組み合わせである特別停止結果態様になった場合に、所定の遊技価値を遊技者に付与可能な特別遊技状態を発生する遊技機において、
遊技媒体を検出して始動する始動手段（２１、１２１）と、乱数発生手段（１３０１）と、前記始動手段（２１、１２１）が遊技媒体を検出したときに前記乱数発生手段（１３０１）から乱数値を取得する乱数取得手段（１３０２）と、前記乱数取得手段（１３０２）の取得した乱数値が当たり乱数か否かを判定する乱数判定手段（１３０６）と、前記乱数判定手段（１３０６）の判定基準を変更する判定基準変更手段（１３０７）と、リーチ継続乱数発生手段（１３０３）と、前記始動手段（２１、１２１）が遊技媒体を検出したときに前記リーチ継続乱数発生手段（１３０３）から乱数値を取得するリーチ継続乱数取得手段（１３０４）と、前記リーチ継続乱数取得手段（１３０４）の取得した乱数値がリーチ継続乱数か否かを判定するリーチ継続乱数判定手段（１３０８）とを有し、
前記判定基準変更手段（１３０７）は、前記判定基準を、少なくとも低確率基準と前記乱数判定手段（１３０６）が前記乱数取得手段（１３０２）の取得した乱数値を前記当たり乱数と判定する確率が前記低確率基準より高い高確率基準とに切り替え、
前記表示制御手段（１００、３００）は、前記乱数判定手段（１３０６）の判定結果が前記当たり乱数のときは表示結果が前記特別停止結果態様になるように表示遊技を実行し、前記乱数判定手段（１３０６）の判定結果が前記当たり乱数でないときは表示結果が前記特別停止結果態様以外の表示態様になるように表示遊技を実行し、また前記乱数判定手段（１３０６）に前記高確率基準が設定されかつ前記リーチ継続乱数判定手段(１３０８)の判定結果が前記リーチ継続乱数のときは前記表示遊技をリーチ態様から開始し、
前記表示遊技が前記リーチ態様から開始される場合に、該表示遊技の表示結果が前記特別停止結果態様に確定した際に付与され得る前記遊技価値を、通常の初期設定遊技価値よりも高める遊技価値変更手段（１３０９ｂ）をさらに有することを特徴とする遊技機。
【手続補正５】
【補正対象書類名】明細書
【補正対象項目名】０００８
【補正方法】変更
【補正の内容】
【０００８】
［２］複数の識別情報を可変表示可能な可変表示装置（３１０）と、前記可変表示装置（３１０）の表示制御を行う表示制御手段（１００、３００）とを備え、所定条件の成立に基づき前記可変表示装置（３１０）で識別情報を可変表示した後に可変表示を停止して複数の識別情報を停止表示する表示遊技を実行し、該表示遊技の表示結果の表示態様が予め定めた識別情報の組み合わせである特別停止結果態様になった場合に、所定の遊技価値を遊技者に付与可能な特別遊技状態を発生する遊技機において、
遊技媒体を検出して始動する始動手段（２１、１２１）と、乱数発生手段（１３０１）と、前記始動手段（２１、１２１）が遊技媒体を検出したときに前記乱数発生手段（１３０１）から乱数値を取得する乱数取得手段（１３０２）と、前記乱数取得手段（１３０２）の取得した乱数値が当たり乱数か否かを判定する乱数判定手段（１３０６）と、前記乱数判定手段（１３０６）の判定基準を変更する判定基準変更手段（１３０７）と、リーチ継続乱数発生手段（１３０３）と、前記始動手段（２１、１２１）が遊技媒体を検出したときに前記リーチ継続乱数発生手段（１３０３）から乱数値を取得するリーチ継続乱数取得手段（１３０４）と、前記リーチ継続乱数取得手段（１３０４）の取得した乱数値がリーチ継続乱数か否かを判定するリーチ継続乱数判定手段（１３０８）とを有し、
前記判定基準変更手段（１３０７）は、前記判定基準を、少なくとも低確率基準と前記乱数判定手段（１３０６）が前記乱数取得手段（１３０２）の取得した乱数値を前記当たり乱数と判定する確率が前記低確率基準より高い高確率基準とに切り替え、
前記表示制御手段（１００、３００）は、前記乱数判定手段（１３０６）の判定結果が前記当たり乱数のときは表示結果が前記特別停止結果態様になるように表示遊技を実行し、前記乱数判定手段（１３０６）の判定結果が前記当たり乱数でないときは表示結果が前記特別停止結果態様以外の表示態様になるように表示遊技を実行し、また前記乱数判定手段（１３０６）に前記高確率基準が設定されかつ前記リーチ継続乱数判定手段(１３０８)の判定結果が前記リーチ継続乱数のときは前記表示遊技をリーチ態様から開始し、
前記表示遊技が前記リーチ態様から開始される場合が複数回継続する場合に、各表示遊技ごとに表示結果が前記特別停止結果態様に確定した際に付与され得る前記遊技価値を順次高める遊技価値変更手段（１３０９ｂ）をさらに有することを特徴とする遊技機。
【手続補正６】
【補正対象書類名】明細書
【補正対象項目名】０００９
【補正方法】変更
【補正の内容】
【０００９】
［３］複数の識別情報を可変表示可能な可変表示装置（３１０）と、前記可変表示装置（３１０）の表示制御を行う表示制御手段（１００、３００）とを備え、所定条件の成立に基づき前記可変表示装置（３１０）で識別情報を可変表示した後に可変表示を停止して複数の識別情報を停止表示する表示遊技を実行し、該表示遊技の表示結果の表示態様が予め定めた識別情報の組み合わせである特別停止結果態様になった場合に、所定の遊技価値を遊技者に付与可能な特別遊技状態を発生する遊技機において、
遊技媒体を検出して始動する始動手段（２１、１２１）と、乱数発生手段（１３０１）と、前記始動手段（２１、１２１）が遊技媒体を検出したときに前記乱数発生手段（１３０１）から乱数値を取得する乱数取得手段（１３０２）と、前記乱数取得手段（１３０２）の取得した乱数値が当たり乱数か否かを判定する乱数判定手段（１３０６）と、前記乱数判定手段（１３０６）の判定基準を変更する判定基準変更手段（１３０７）と、リーチ継続乱数発生手段（１３０３）と、前記始動手段（２１、１２１）が遊技媒体を検出したときに前記リーチ継続乱数発生手段（１３０３）から乱数値を取得するリーチ継続乱数取得手段（１３０４）と、前記リーチ継続乱数取得手段（１３０４）の取得した乱数値がリーチ継続乱数か否かを判定するリーチ継続乱数判定手段（１３０８）とを有し、
前記判定基準変更手段（１３０７）は、前記判定基準を、少なくとも低確率基準と前記乱数判定手段（１３０６）が前記乱数取得手段（１３０２）の取得した乱数値を前記当たり乱数と判定する確率が前記低確率基準より高い高確率基準とに切り替え、
前記表示制御手段（１００、３００）は、前記乱数判定手段（１３０６）の判定結果が前記当たり乱数のときは表示結果が前記特別停止結果態様になるように表示遊技を実行し、前記乱数判定手段（１３０６）の判定結果が前記当たり乱数でないときは表示結果が前記特別停止結果態様以外の表示態様になるように表示遊技を実行し、また前記乱数判定手段（１３０６）に前記高確率基準が設定されかつ前記リーチ継続乱数判定手段(１３０８)の判定結果が前記リーチ継続乱数のときは前記表示遊技をリーチ態様から開始し、
前記表示遊技が前記リーチ態様から開始される場合が複数回継続する場合に、各表示遊技の表示結果が前記特別停止結果態様に確定しないことを条件に、各表示遊技の実行回数を順次計数する継続回数計数手段（１３０９ａ）と、
前記継続回数計数手段（１３０９ａ）によって前記各表示遊技の実行回数が順次計数される度に、各表示遊技ごとに表示結果が前記特別停止結果態様に確定した際に付与され得る前記遊技価値を順次高める遊技価値変更手段（１３０９ｂ）とをさらに有することを特徴とする遊技機。
【手続補正７】
【補正対象書類名】明細書
【補正対象項目名】００１０
【補正方法】変更
【補正の内容】
【００１０】
［４］複数の識別情報を可変表示可能な可変表示装置（３１０）と、前記可変表示装置（３１０）の表示制御を行う表示制御手段（１００、３００）とを備え、所定条件の成立に基づき前記可変表示装置（３１０）で識別情報を可変表示した後に可変表示を停止して複数の識別情報を停止表示する表示遊技を実行し、該表示遊技の表示結果の表示態様が予め定めた識別情報の組み合わせである特別停止結果態様になった場合に、所定の遊技価値を遊技者に付与可能な特別遊技状態を発生する遊技機において、
遊技媒体を検出して始動する始動手段（２１、１２１）と、乱数発生手段（１３０１）と、前記始動手段（２１、１２１）が遊技媒体を検出したときに前記乱数発生手段（１３０１）から乱数値を取得する乱数取得手段（１３０２）と、前記乱数取得手段（１３０２）の取得した乱数値が当たり乱数か否かを判定する乱数判定手段（１３０６）と、前記乱数判定手段（１３０６）の判定基準を変更する判定基準変更手段（１３０７）と、リーチ継続乱数発生手段（１３０３）と、前記表示遊技が開始される際に前記リーチ継続乱数発生手段（１３０３）から乱数値を取得するリーチ継続乱数取得手段（１３０４）と、前記リーチ継続乱数取得手段（１３０４）の取得した乱数値がリーチ継続乱数か否かを判定するリーチ継続乱数判定手段（１３０８）とを有し、
前記判定基準変更手段（１３０７）は、前記判定基準を、少なくとも低確率基準と前記乱数判定手段（１３０６）が前記乱数取得手段（１３０２）の取得した乱数値を前記当たり乱数と判定する確率が前記低確率基準より高い高確率基準とに切り替え、
前記表示制御手段（１００、３００）は、前記乱数判定手段（１３０６）の判定結果が前記当たり乱数のときは表示結果が前記特別停止結果態様になるように表示遊技を実行し、前記乱数判定手段（１３０６）の判定結果が前記当たり乱数でないときは表示結果が前記特別停止結果態様以外の表示態様になるように表示遊技を実行し、また前記乱数判定手段（１３０６）に前記高確率基準が設定されかつ前記リーチ継続乱数判定手段(１３０８)の判定結果が前記リーチ継続乱数のときは前記表示遊技をリーチ態様から開始し、
前記表示遊技が前記リーチ態様から開始される場合に、該表示遊技の表示結果が前記特別停止結果態様に確定した際に付与され得る前記遊技価値を、通常の初期設定遊技価値よりも高める遊技価値変更手段（１３０９ｂ）をさらに有することを特徴とする遊技機。
【手続補正８】
【補正対象書類名】明細書
【補正対象項目名】００１１
【補正方法】変更
【補正の内容】
【００１１】
［５］複数の識別情報を可変表示可能な可変表示装置（３１０）と、前記可変表示装置（３１０）の表示制御を行う表示制御手段（１００、３００）とを備え、所定条件の成立に基づき前記可変表示装置（３１０）で識別情報を可変表示した後に可変表示を停止して複数の識別情報を停止表示する表示遊技を実行し、該表示遊技の表示結果の表示態様が予め定めた識別情報の組み合わせである特別停止結果態様になった場合に、所定の遊技価値を遊技者に付与可能な特別遊技状態を発生する遊技機において、
遊技媒体を検出して始動する始動手段（２１、１２１）と、乱数発生手段（１３０１）と、前記始動手段（２１、１２１）が遊技媒体を検出したときに前記乱数発生手段（１３０１）から乱数値を取得する乱数取得手段（１３０２）と、前記乱数取得手段（１３０２）の取得した乱数値が当たり乱数か否かを判定する乱数判定手段（１３０６）と、前記乱数判定手段（１３０６）の判定基準を変更する判定基準変更手段（１３０７）と、リーチ継続乱数発生手段（１３０３）と、前記表示遊技が開始される際に前記リーチ継続乱数発生手段（１３０３）から乱数値を取得するリーチ継続乱数取得手段（１３０４）と、前記リーチ継続乱数取得手段（１３０４）の取得した乱数値がリーチ継続乱数か否かを判定するリーチ継続乱数判定手段（１３０８）とを有し、
前記判定基準変更手段（１３０７）は、前記判定基準を、少なくとも低確率基準と前記乱数判定手段（１３０６）が前記乱数取得手段（１３０２）の取得した乱数値を前記当たり乱数と判定する確率が前記低確率基準より高い高確率基準とに切り替え、
前記表示制御手段（１００、３００）は、前記乱数判定手段（１３０６）の判定結果が前記当たり乱数のときは表示結果が前記特別停止結果態様になるように表示遊技を実行し、前記乱数判定手段（１３０６）の判定結果が前記当たり乱数でないときは表示結果が前記特別停止結果態様以外の表示態様になるように表示遊技を実行し、また前記乱数判定手段（１３０６）に前記高確率基準が設定されかつ前記リーチ継続乱数判定手段(１３０８)の判定結果が前記リーチ継続乱数のときは前記表示遊技をリーチ態様から開始し、
前記表示遊技が前記リーチ態様から開始される場合が複数回継続する場合に、各表示遊技ごとに表示結果が前記特別停止結果態様に確定した際に付与され得る前記遊技価値を順次高める遊技価値変更手段（１３０９ｂ）をさらに有することを特徴とする遊技機。
【手続補正９】
【補正対象書類名】明細書
【補正対象項目名】００１２
【補正方法】変更
【補正の内容】
【００１２】
［６］複数の識別情報を可変表示可能な可変表示装置（３１０）と、前記可変表示装置（３１０）の表示制御を行う表示制御手段（１００、３００）とを備え、所定条件の成立に基づき前記可変表示装置（３１０）で識別情報を可変表示した後に可変表示を停止して複数の識別情報を停止表示する表示遊技を実行し、該表示遊技の表示結果の表示態様が予め定めた識別情報の組み合わせである特別停止結果態様になった場合に、所定の遊技価値を遊技者に付与可能な特別遊技状態を発生する遊技機において、
遊技媒体を検出して始動する始動手段（２１、１２１）と、乱数発生手段（１３０１）と、前記始動手段（２１、１２１）が遊技媒体を検出したときに前記乱数発生手段（１３０１）から乱数値を取得する乱数取得手段（１３０２）と、前記乱数取得手段（１３０２）の取得した乱数値が当たり乱数か否かを判定する乱数判定手段（１３０６）と、前記乱数判定手段（１３０６）の判定基準を変更する判定基準変更手段（１３０７）と、リーチ継続乱数発生手段（１３０３）と、前記表示遊技が開始される際に前記リーチ継続乱数発生手段（１３０３）から乱数値を取得するリーチ継続乱数取得手段（１３０４）と、前記リーチ継続乱数取得手段（１３０４）の取得した乱数値がリーチ継続乱数か否かを判定するリーチ継続乱数判定手段（１３０８）とを有し、
前記判定基準変更手段（１３０７）は、前記判定基準を、少なくとも低確率基準と前記乱数判定手段（１３０６）が前記乱数取得手段（１３０２）の取得した乱数値を前記当たり乱数と判定する確率が前記低確率基準より高い高確率基準とに切り替え、
前記表示制御手段（１００、３００）は、前記乱数判定手段（１３０６）の判定結果が前記当たり乱数のときは表示結果が前記特別停止結果態様になるように表示遊技を実行し、前記乱数判定手段（１３０６）の判定結果が前記当たり乱数でないときは表示結果が前記特別停止結果態様以外の表示態様になるように表示遊技を実行し、また前記乱数判定手段（１３０６）に前記高確率基準が設定されかつ前記リーチ継続乱数判定手段(１３０８)の判定結果が前記リーチ継続乱数のときは前記表示遊技をリーチ態様から開始し、
前記表示遊技が前記リーチ態様から開始される場合が複数回継続する場合に、各表示遊技の表示結果が前記特別停止結果態様に確定しないことを条件に、各表示遊技の実行回数を順次計数する継続回数計数手段（１３０９ａ）と、
前記継続回数計数手段（１３０９ａ）によって前記各表示遊技の実行回数が順次計数される度に、各表示遊技ごとに表示結果が前記特別停止結果態様に確定した際に付与され得る前記遊技価値を順次高める遊技価値変更手段（１３０９ｂ）とをさらに有することを特徴とする遊技機。
【手続補正１０】
【補正対象書類名】明細書
【補正対象項目名】００１６
【補正方法】変更
【補正の内容】
【００１６】
前記本発明は次のように作用する。
遊技盤（２）上に打ち出された遊技媒体（以下単に遊技球又は遊技球の略称である球と称す。）が始動口（２１）に入賞する等によって始動手段（２１、１２１）が球を検出したとき、乱数取得手段（１３０２）が乱数発生手段（１３０１）から乱数値を取得し、乱数判定手段（１３０６）は、乱数取得手段（１３０２）の取得した乱数値が当たり乱数か否かを判定する。
【手続補正１１】
【補正対象書類名】明細書
【補正対象項目名】００２０
【補正方法】変更
【補正の内容】
【００２０】
例えば、パチンコ機に設けた液晶ディスプレイ上で「７７７」など同一図柄が３つ揃う状態を特別停止結果態様とするスロットマシンに見立てた図柄合わせゲームを表示するものでは、乱数判定手段（１３０６）に高確率基準が設定されていないときは、すべての表示箇所で識別情報を可変表示させる初期態様から表示遊技を開始する。一方、乱数判定手段（１３０６）に高確率基準が設定されている場合であって、リーチ継続乱数取得手段(１３０４)の取得した乱数値がリーチ継続乱数の場合には、同一図柄が既に２つ揃いかつ残る１つが可変表示しているリーチ態様から表示遊技を開始する等である。すなわち、パチンコ機におけるリーチ態様は、従来のスロットマシンのリーチ態様と同様に、マトリクス状に配置された表示部における、斜めのリーチ態様、上下のリーチ態様も前記リーチ態様に該当する。
【手続補正１２】
【補正対象書類名】明細書
【補正対象項目名】００２１
【補正方法】変更
【補正の内容】
【００２１】
このように、表示遊技がリーチ態様から開始する場合を有しているので、遊技者の期待と興奮の間隔が短くなることによって、遊技者の期待と興奮を、表示遊技の開始直後から喚起することが可能になる。また、乱数の判定基準が高確率状態に設定されている間においても表示遊技がリーチ態様から開始する場合と開始しない場合があるので、次回の表示遊技がリーチ態様から開始するか否かにも遊技者の期待と関心が注がれ、遊技内容がより一層変化に富むものになる。特に、当たりが高確率で出現する状態に設定されているときに表示遊技がリーチ態様から開始する場合を設定したので、遊技者の期待と興奮の間隔が短くなることによって更に特賞発生に対する遊技者の期待と興奮を高いレベルで維持することができる。
【手続補正１３】
【補正対象書類名】明細書
【補正対象項目名】００２４
【補正方法】変更
【補正の内容】
【００２４】
また、表示遊技がリーチ態様から開始される場合が複数回継続する場合には、遊技価値変更手段（１３０９ｂ）によって、各表示遊技ごとに表示結果が特別停止結果態様に確定した際に付与され得る遊技価値を順次高めるようにするとよい。それにより、リーチ態様の出現後に特別停止結果態様に結局確定しなかった場合に、遊技者が感じる落胆感を緩和でき、次の表示遊技でも連続してリーチ態様から開始された場合に、遊技者の期待と興奮の間隔が短くなることによって更に遊技者の期待感を増大させることができる。
【手続補正１４】
【補正対象書類名】明細書
【補正対象項目名】０１５０
【補正方法】変更
【補正の内容】
【０１５０】
すなわち、大当たり乱数値が大当たり判定値であるか否かにかかわらず、乱数判定手段１３０６の判定基準が高確率基準に設定されている場合であってリーチ継続乱数値がリーチ継続判定値と一致する場合には、表示遊技がリーチ態様１３１２から開始する変動パターンが選択される。一方、乱数判定手段１３０６の判定基準が低確率基準に設定されている場合には、表示遊技が初期態様１３１１から開始する変動パターンが選択される。こうして定めた停止態様や変動パターンに基づいて表示遊技が実行される。
【手続補正１５】
【補正対象書類名】明細書
【補正対象項目名】０１５３
【補正方法】変更
【補正の内容】
【０１５３】
また、表示遊技において、リーチ態様１３１２から開始される場合が複数回継続し得る継続回数最大値が予め定められており、該継続回数最大値に到達した場合にも、前記継続回数はリセットされて０に戻され、次回以降の表示遊技で、リーチ態様１３１２から開始される場合が複数回継続する場合に、新たに計数が開始されるようになっている。もちろん各表示遊技において、リーチ態様１３１２から開始されずに初期態様１３１１から開始された場合には、その時点で前記継続回数はリセットされて０に戻される。
【手続補正１６】
【補正対象書類名】明細書
【補正対象項目名】０１５４
【補正方法】変更
【補正の内容】
【０１５４】
表示遊技の流れとしては、初期態様１３１１からリーチ態様１３１２を経て大当たり１３１３になる場合、初期態様１３１１からリーチ態様１３１２を経たのち、一旦不利な表示態様となり、再変動１３１４した後、大当たり１３１３になる場合がある。また初期態様１３１１からリーチ態様１３１２を経て外れ１３１５になる場合と、初期態様１３１１からリーチ態様１３１２を経ずに外れ１３１５になる場合がある。さらにリーチ態様１３１２から開始する場合がある。
【手続補正１７】
【補正対象書類名】明細書
【補正対象項目名】０１５５
【補正方法】変更
【補正の内容】
【０１５５】
図１４は、可変表示装置３１０で展開される表示遊技の流れの一例を示している。表示遊技が初期態様から開始する場合には、図１４ａに示すように、可変表示装置３１０に表示されている３つの表示部３１１〜３１３において識別情報が変動を開始する。しばらくすると、いずれかの表示部から順に、一の識別情報が停止表示される。同図ｂでは、３つのうちの左表示部３１１に「７」の識別情報が停止表示した状態を、同図ｃでは、左表示部３１１と右表示部３１３に「７」の識別情報が停止表示してリーチ態様が形成されている。なお、前述したように表示遊技がリーチ態様から開始される場合には、図１４ｃに示す状態から表示遊技が開始する。
【手続補正１８】
【補正対象書類名】明細書
【補正対象項目名】０１５７
【補正方法】変更
【補正の内容】
【０１５７】
このように、表示遊技がリーチ態様から開始する場合を有しているので、遊技者の期待と興奮の間隔が短くなることによって、遊技者の期待と興奮を、表示遊技の開始直後から喚起することが可能になる。また、乱数の判定基準が高確率状態に設定されている間においても表示遊技がリーチ態様から開始する場合と開始しない場合があるので、次回の表示遊技がリーチ態様から開始するか否かにも遊技者の期待と関心が注がれ、遊技内容がより一層変化に富むものになる。
【手続補正１９】
【補正対象書類名】明細書
【補正対象項目名】０１６６
【補正方法】変更
【補正の内容】
【０１６６】
このように、表示遊技がリーチ態様から開始される場合が複数回継続する場合には、継続回数計数手段１３０９ａにより各表示遊技の実行回数を順次計数し、各表示遊技の実行回数が順次計数される度に、遊技価値変更手段１３０９ｂによって、各表示遊技ごとに表示結果が特別停止結果態様に確定した際に付与され得る遊技価値を順次高めるので、リーチ態様の出現後に特別停止結果態様に結局確定しなかった場合に遊技者が感じる落胆感を緩和でき、次の表示遊技でも連続してリーチ態様から開始された場合に遊技者の期待と興奮の間隔が短くなり、更に遊技者の期待感を増大させることができる。
【手続補正２０】
【補正対象書類名】明細書
【補正対象項目名】０１７４
【補正方法】変更
【補正の内容】
【０１７４】
このほか実施の形態では識別情報として数字の図柄を用いたが、各種の文字や記号あるいは動物や植物等の絵柄等を識別情報として用いてもよい。また上記の実施の形態では、本発明をパチンコ機について説明したが、プログラム制御される、スマートボールゲーム機、アレンジボールゲーム機、スロットマシンといった遊技機にも同様に本発明を適用することができる。このような各場合においても、上記実施の形態と同様な効果が奏される。
【手続補正２１】
【補正対象書類名】明細書
【補正対象項目名】０１７５
【補正方法】変更
【補正の内容】
【０１７５】
【発明の効果】
本発明に係る遊技機によれば、表示遊技がリーチ態様から開始する場合を有しているので、遊技者の期待と興奮の間隔が短くなることによって遊技者の期待と興奮を、表示遊技の開始直後から喚起することが可能になる。また、乱数の判定基準が高確率状態に設定されている間においても表示遊技がリーチ態様から開始する場合と開始しない場合があるので、次回の表示遊技がリーチ態様から開始するか否かにも遊技者の期待と関心が注がれ、遊技内容がより一層変化に富むものになり、スリルと興奮に満ちた遊技を提供することができる。特に、当たりが高確率で出現する状態に設定されているときに表示遊技がリーチ態様から開始する場合を設定したので、遊技者の期待と興奮の間隔が短くなることによって更に特別停止結果態様の発生に対する遊技者の期待と興奮を高いレベルで維持することができる。
【手続補正２２】
【補正対象書類名】明細書
【補正対象項目名】０１７６
【補正方法】変更
【補正の内容】
【０１７６】
しかも、表示遊技がリーチ態様から開始される場合には遊技価値変更手段によって、表示遊技の表示結果が特別停止結果態様に確定した際に付与され得る遊技価値が通常の初期設定遊技価値よりも高まるように変動することで、遊技全体における興趣を高めることができる。特に、表示遊技がリーチ態様から開始される場合が複数回継続する場合には、遊技価値変更手段によって、各表示遊技ごとに表示結果が特別停止結果態様に確定した際に付与され得る遊技価値を順次高めることにより、リーチ態様の出現後に特別停止結果態様に結局確定しなかった場合に遊技者が感じる落胆感を緩和でき、次の表示遊技でも連続してリーチ態様から開始された場合に遊技者の期待と興奮の間隔が短くなり、更に遊技者の期待感を増大させることができる。
【手続補正２３】
【補正対象書類名】明細書
【補正対象項目名】符号の説明
【補正方法】変更
【補正の内容】
【符号の説明】
１…遊技機本体
２…遊技盤
３…上受け皿
４…下受け皿
５…ハンドル
６…灰皿
７…上受け皿球抜きレバー
８…下受け皿球抜きレバー
９…貸出ボタン
１０…返却ボタン
１１…ガラス枠
１２…度数表示部
１５…風車
１６…誘導レール
２１…始動口
２２ａ…右袖入賞口
２２ｂ…左袖入賞口
２３ａ…右落し入賞口
２３ｂ…左落し入賞口
２４…大入賞口
２９…アウト口
１００…主基板
１０１…ワンチップマイコン
１０２…ＣＰＵ
１０３…ＲＯＭ
１０４…ＲＡＭ
１０５…ＮＭＩ
１０６…Ｉ／Ｏポート
１０７…内部タイマー
１０８…クロック回路
１０９…クロック同期・遅延回路
１１０、１１１…ゲート回路
１１２ａ〜１１２ｇ…ラッチ回路
１１３…アドレスデコード回路
１１４…バッファ
１１５…リセット
１１６…試射試験信号端子
１２１…始動口スイッチ
１２２ａ…右袖入賞口スイッチ
１２２ｂ…左袖入賞口スイッチ
１２３ａ…右落し入賞口スイッチ
１２３ｂ…左落し入賞口スイッチ
１２４…役物連続作動装置スイッチ
１２５…カウントスイッチ
１２６ａ…右普通図柄表示装置作動ゲートスイッチ
１２６ｂ…左普通図柄表示装置作動ゲートスイッチ
１３０…賞球検出スイッチ
１３０ａ…右賞球検出スイッチ
１３０ｂ…左賞球検出スイッチ
１３１…シュート球切れスイッチ
１３２…ガラス枠開放検出スイッチ
１３３…オーバーフロースイッチ
１３４…大入賞口ソレノイド
１３５…方向切換ソレノイド
１３６…普通電動役物ソレノイド
１４０…普通図柄表示装置
２００…払出制御基板
２０１…ワンチップマイコン
２０２…カウンタ回路
２０３…ＣＰＵ
２０４…ＲＯＭ
２０５…ＲＡＭ
２０６…ＮＭＩ
２０７…Ｉ／Ｏポート
２０８…内部タイマー
２０９…クロック回路
２１０…クロック同期・遅延回路
２１１、２１２…ゲート回路
２１３…アドレスデコード回路
２１４、２１５…ラッチ回路
２１６…リセット
２２０…球貸し検出スイッチ
２２０ａ…右球貸し検出スイッチ
２２０ｂ…左球貸し検出スイッチ
２２２…払出モータ
２２３…払出停止ソレノイド
２２４…経路切換ソレノイド
３００…表示器制御基板
３０１…表示器制御ＣＰＵ
３０２…表示器制御ＲＯＭ
３０３…表示器制御ＲＡＭ
３０４…画像制御ＩＣ
３０５…画像データＲＯＭ
３０６…入出力インターフェース
３０７…試射試験信号端子
３１０…可変表示装置
３１１…左表示部
３１２…中表示部
３１３…右表示部
４００…ランプ制御基板
４０１…ランプ制御ＣＰＵ
４０２…ランプ制御ＲＯＭ
４０３…ランプ制御ＲＡＭ
４０４…入出力インターフェース
４０５…ドライバー回路
４２０…特別図柄保留ＬＥＤ
４２１…普通図柄保留ＬＥＤ
４２２…遊技機状態ランプ
４２３…サイドケースランプ
４２４…遊技枠状態ランプ
４２６…ゲートＬＥＤ
４２７…アタッカーＬＥＤ
４２８…サイドＬＥＤ
５００…音声制御基板
５０１…音声制御ＣＰＵ
５０２…音声制御ＲＯＭ
５０３…音声制御ＲＡＭ
５０４…音声制御ＩＣ
５０５…音声データＲＯＭ
５０６…入出力インターフェース
５０７…アンプ回路
５１０…スピーカー
６００…発射制御基板
６０１…発振回路
６０２…分周回路
６０３…モータ駆動信号制御回路
６０４…ドライバー回路
６５０…ハンドル部
６５１…タッチセンサ
６５２…発射停止スイッチ
６５３…発射モータ
７００…電源基板
７０１…定電圧電源装置
７０２…バックアップ電源
７０３…電圧検出回路
７０４…シフトレジスタ
７０５…ＲＡＭ初期化スイッチ
７０６…クロック回路
７０７…遅延回路
７０８…電圧検出回路
７０９…停電検出回路
８００…枠用外部端子板
８０１…賞球タンク球有無スイッチ
８５０…盤用外部端子板
９００…カードユニット接続基板
１３０１…乱数発生手段
１３０２…乱数取得手段
１３０３…リーチ継続乱数発生手段
１３０４…リーチ継続乱数取得手段
１３０５…乱数値記憶部
１３０６…乱数判定手段
１３０７…判定基準変更手段
１３０８…リーチ継続乱数判定手段
１３０９ａ…継続回数計数手段
１３０９ｂ…遊技価値変更手段
１３１１…初期態様
１３１２…リーチ態様
１３１３…大当たり
１３１５…外れ
ａ…操作パネル基板
ｂ…カードユニット
ｃ…電源ＡＣ２４Ｖ
【手続補正２４】
【補正対象書類名】図面
【補正対象項目名】図１３
【補正方法】変更
【補正の内容】
【図１３】
2003334344.tif 000001
【手続補正２５】
【補正対象書類名】図面
【補正対象項目名】図１５
【補正方法】変更
【補正の内容】
【図１５】
2003334344.tif 000002